(57)【特許請求の範囲】
【請求項１】
第１導電路又は第２導電路と基準導電路との間に接続されたスイッチ素子のオンオフ動作により前記第１導電路及び前記第２導電路のいずれか一方から入力された電圧を昇圧又は降圧して他方に出力する電圧変換部と、
前記スイッチ素子をオンオフ動作させる制御信号を出力する駆動部と、
前記第１導電路又は前記第２導電路の電圧又は電流の異常を検出する異常検出部と、
前記電圧変換部に所定の過電圧状態が生じたときに前記電圧変換部の動作を強制的に停止させる保護部と、
前記保護部による前記電圧変換部の強制停止中に前記異常検出部によって異常が検出されない場合に強制停止を解除する解除部と、
前記保護部による前記電圧変換部の強制停止中に前記異常検出部によって異常が検出されずに前記解除部によって強制停止が解除され且つ解除後の前記電圧変換部の動作中に再び前記過電圧状態となることに基づく前記保護部による前記電圧変換部の動作の停止が所定回数又は所定時間繰り返された場合に前記電圧変換部の動作を禁止する禁止部と、
を有する電圧変換装置。
【請求項２】
前記電圧変換部は、前記第１導電路に印加された電圧を昇圧又は降圧して前記第２導電路に出力する構成をなし、
前記保護部は、前記第２導電路の出力電圧が前記所定の過電圧状態であるときに前記駆動部から発せられる前記制御信号を無効化させる無効化回路を含む請求項１に記載の電圧変換装置。
【請求項３】
前記異常検出部は、前記第２導電路の電圧の異常を検出する構成をなし、
前記解除部は、前記保護部による前記電圧変換部の強制停止中に前記異常検出部によって前記第２導電路の電圧異常が検出されない場合に強制停止を解除する請求項２に記載の
電圧変換装置。
【発明の詳細な説明】
【技術分野】
【０００１】
本発明は、電圧変換装置に関するものである。
【背景技術】
【０００２】
特許文献１には、過電圧保護機能を備えた電源装置が開示されている。この電源装置は、逆接続保護用ＭＯＳＦＥＴと、過電圧保護用ＭＯＳＦＥＴとを備えている。過電圧保護用ＭＯＳＦＥＴは、入力電圧Ｖｓが過電圧判定閾値以上になると電力変換回路の入力側を遮断し、Ｖｓ電圧が正常値に戻ると自動的に復帰する構成をなす。
【先行技術文献】
【特許文献】
【０００３】
【特許文献１】特開２００５−５１９１９号公報
【発明の概要】
【発明が解決しようとする課題】
【０００４】
ところで、この種の電圧変換装置で過電圧が発生する場合、その原因は、電圧変換装置の内部要因に基づく場合と、外部要因に基づく場合とが想定される。例えば、車載環境でありがちな外的変化（外部要因）によって一時的な過電圧が発生した場合、その外的変化が解消して電圧が正常状態に戻ったときには電圧変換装置の動作を復帰させること望ましいといえる。一方、電圧変換装置の内部故障（内部要因）によって過電圧が発生している場合、そのまま放置しても過電圧は解消せず、一層の不具合を招く虞があるため、このような場合には電圧変換装置の動作を禁止することが望ましいといえる。
【０００５】
本発明は上述した事情に基づいてなされたものであり、過電圧発生時に電圧変換部の動作を強制的に停止させて保護を図ることができ、電圧変換部の内部異常時には、電圧変換部の動作を禁止して保護の度合いを高めることができる電圧変換装置を提供することを目的とするものである。
【課題を解決するための手段】
【０００６】
本発明の電圧変換装置は、
第１導電路又は第２導電路と基準導電路との間に接続されたスイッチ素子のオンオフ動作により前記第１導電路及び前記第２導電路のいずれか一方から入力された電圧を昇圧又は降圧して他方に出力する電圧変換部と、
前記スイッチ素子をオンオフ動作させる制御信号を出力する駆動部と、
前記第１導電路又は前記第２導電路の電圧又は電流の異常を検出する異常検出部と、
前記電圧変換部に所定の過電圧状態が生じたときに前記電圧変換部の動作を強制的に停止させる保護部と、
前記保護部による前記電圧変換部の強制停止中に前記異常検出部によって異常が検出されない場合に強制停止を解除する解除部と、
前記保護部による前記電圧変換部の動作の停止が所定回数又は所定時間繰り返された場合に前記電圧変換部の動作を禁止する禁止部と、
を有する。
【発明の効果】
【０００７】
本発明は、電圧変換部が所定の過電圧状態であるときに、保護部によって電圧変換部の動作を強制的に停止させ、迅速に保護を図ることができる。
このような過電圧が電圧変換部の内部要因（内部故障等）によって発生する場合、電圧変換部の強制停止中に異常検出部によって異常が検出されずに電圧変換部の強制停止が解除され、解除後の電圧変換部の動作中に再び過電圧が検出されることになる。つまり、電圧変換部の内部要因によって過電圧が発生する場合、電圧変換部の動作停止と解除が繰り返され、電圧変換部の動作停止が所定回数又は所定時間に達したときに禁止部によって電圧変換部の動作が禁止される。よって、電圧変換部の内部異常時には、電圧変換部の動作を禁止して保護の度合いを高めることができる。
一方、電圧変換部の外部要因によって過電圧が発生する場合でも、保護部は、電圧変換部の動作を強制的に停止させる。但し、この場合、電圧変換部の強制停止中に異常検出部によって異常が検出され続ける可能性が高いため、電圧変換部において動作停止と解除が繰り返されにくく、電圧変換部の動作は禁止されにくくなる。
【図面の簡単な説明】
【０００８】
【図１】実施例１の電圧変換装置を概略的に例示する回路図である。
【図２】実施例１の電圧変換装置で実行される周期処理を例示するフローチャートである。
【発明を実施するための形態】
【０００９】
発明の望ましい形態を以下に示す。
本発明において、電圧変換部は、第１導電路に印加された電圧を昇圧又は降圧して第２導電路に出力する構成をなしていてもよい。保護部は、第２導電路の出力電圧が所定の過電圧状態であるときに駆動部から発せられる制御信号を無効化させる無効化回路を含んでいてもよい。
【００１０】
この構成によれば、第２導電路に印加される出力電圧が過電圧状態であるときに無効化回路によって制御信号を無効化させ、電圧変換部の動作を迅速に停止させることができる。
【００１１】
本発明において、異常検出部は、第２導電路の電圧の異常を検出する構成であってもよい。解除部は、保護部による電圧変換部の強制停止中に異常検出部によって第２導電路の電圧異常が検出されない場合に強制停止を解除する構成であってもよい。
【００１２】
この構成では、保護部による電圧変換部の強制停止中に異常検出部によって出力側の第２導電路の電圧異常が検出された場合、電圧変換部の動作に関係なく過電圧が生じたと考えられ、その原因は電圧変換部の内部要因によるものではなく、外部要因によるものである可能性が極めて高くなる。逆に、保護部による電圧変換部の強制停止中に異常検出部によって出力側の第２導電路の電圧異常が検出されない場合、電圧変換部の動作中にのみ過電圧が生じたと考えられ、電圧変換部の内部異常が生じている可能性が極めて高くなる。つまり、強制停止中に出力側の第２導電路の電圧状態に基づいて異常判断を行えば、外部要因に基づく過電圧と内部要因に基づく過電圧をより正確に区別しやすくなる。
【００１３】
＜実施例１＞
以下、本発明を具体化した実施例１について説明する。
図１で示す電圧変換装置１は、例えば、車載用の昇降圧型ＤＣＤＣコンバータとして構成されており、第１導電路９１又は第２導電路９２の一方の導電路に印加された直流電圧を昇圧又は降圧して他方の導電路に出力する構成をなすものである。
【００１４】
電圧変換装置１は、第１導電路９１と第２導電路９２とを備える。第１導電路９１は、例えば図示しない第１電源部の高電位側の端子に導通するとともに、第１電源部から所定の直流電圧が印加される構成をなす。第２導電路９２は、第２電源部１０２の高電位側の端子に導通するとともに、第２電源部１０２から所定の直流電圧が印加される構成をなす。
【００１５】
第１電源部（図示略）、第２電源部１０２は、例えば、リチウムイオン電池、電気二重層キャパシタ、鉛蓄電池、その他の蓄電素子など、公知の蓄電手段によって構成されている。第１電源部及び第２電源部１０２の低電位側の端子はグラウンド電位（０Ｖ）に保たれている。
【００１６】
第１導電路９１と第２導電路９２の間には、第１導電路９１に印加された入力電圧を昇圧又は降圧して第２導電路９２に印加する出力電圧を生成する電圧変換部６が設けられている。電圧変換部６は、第１導電路９１と第２導電路９２との間に設けられ、Ｈブリッジ構造で配置されたスイッチ素子Ｔ１，Ｔ２，Ｔ３，Ｔ４と、コイル１２とを備える。スイッチ素子Ｔ１，Ｔ２，Ｔ３，Ｔ４は、いずれもＭＯＳＦＥＴとして構成されている。なお、第１導電路９１には、図示しない入力側コンデンサが設けられ、第２導電路９２には、図示しない出力側コンデンサが設けられている。
【００１７】
電圧変換部６において、スイッチ素子Ｔ１のドレインには、第１導電路９１が接続され、スイッチ素子Ｔ１のソースには、スイッチ素子Ｔ２のドレイン及びコイル１２の一端が接続されている。スイッチ素子Ｔ３のドレインには、第２導電路９２が接続され、スイッチ素子Ｔ３のソースには、スイッチ素子Ｔ４のドレイン及びコイル１２の他端が接続されている。スイッチ素子Ｔ２，Ｔ４のそれぞれのソースと基準導電路９９（グランド）の間には、第３導電路９３が接続されている。スイッチ素子Ｔ１，Ｔ２，Ｔ３，Ｔ４のそれぞれのゲートには、後述するＡＮＤ回路７１，７２，７３，７４からの各信号がそれぞれ入力される。
【００１８】
電圧検出回路８は、第２導電路９２の電圧を検出する公知の電圧検出回路として構成され、第２導電路９２の電圧値を反映した値を検出値として制御部２に入力する。図１の例では、電圧検出回路８は、抵抗Ｒ１，Ｒ２によって第２導電路９２の電圧値を分圧する分圧器として構成され、第２導電路９２の電圧値に比例した値を制御部２への入力値として生成する。
【００１９】
電流検出回路１０は、第２導電路９２を流れる電流を検出する公知の電流検出回路として構成されている。電流検出回路１０は、例えば第２導電路９２に設けられたシャント抵抗と、シャント抵抗の両端電圧を増幅して出力する差動増幅器とによって構成されており、制御部２は、電流検出回路１０からの入力値に基づいて第２導電路９２を流れる電流値を把握する。
【００２０】
制御部２は、例えばＭＣＵ（Micro Controller Unit）として構成され、電圧検出回路８及び電流検出回路１０から入力される電圧値及び電流値と目標電圧値及び目標電流値に基づいて公知の方法でフィードバック制御を行い、ＰＷＭ信号のデューティ比を設定する。そして、設定されたデューティ比のＰＷＭ信号を駆動部４に出力する。
【００２１】
駆動部４は、スイッチ素子Ｔ１，Ｔ２，Ｔ３，Ｔ４をオンオフさせる制御信号を出力する回路である。この駆動部４は、制御部２で生成されたＰＷＭ信号を分配して出力する機能を有する。駆動部４は、第１の信号Ｓ１と第２の信号Ｓ２を出力する構成をなす。駆動部４から出力される第１の信号Ｓ１は、ＡＮＤ回路７１の第１入力端子にそのまま入力され、ＡＮＤ回路７２の第１入力端子には第１の信号Ｓ１を反転した信号が入力される。駆動部４から出力される第２の信号Ｓ２は、ＡＮＤ回路７３の第１入力端子に反転して入力され、ＡＮＤ回路７４の第１入力端子には第２の信号Ｓ２がそのまま入力される。
【００２２】
ＡＮＤ回路７１，７２，７３，７４の各第２入力端子には、信号線７６の印加電圧が入力される。具体的には、後述するスイッチＴｒ１がオフ状態のときにＡＮＤ回路７１，７２，７３，７４の各第２入力端子にＨレベル信号が入力され、この場合、ＡＮＤ回路７１，７２，７３，７４の各出力は、ＡＮＤ回路７１，７２，７３，７４の各第１入力端子の信号がそのまま出力される。そして、このようにＡＮＤ回路７１，７２，７３，７４の各第２入力端子にＨレベル信号が入力されているときに電圧変換部６が動作可能となり、このときに駆動部４によって降圧モード又は昇圧モードで駆動される。
【００２３】
降圧モードでは、第１の信号Ｓ１としてＰＷＭ信号が出力され、第２の信号Ｓ２としてＬレベル信号が出力される。この場合、スイッチ素子Ｔ１，Ｔ２の各ゲートに対してデッドタイムを設定した形でＰＷＭ信号が相補的に出力され、スイッチ素子Ｔ１へのオン信号の出力中は、スイッチ素子Ｔ２へオフ信号が出力され、スイッチ素子Ｔ１へのオフ信号の出力中は、スイッチ素子Ｔ２へオン信号が出力される。スイッチ素子Ｔ１をオン状態とし、スイッチ素子Ｔ２をオフ状態とした第１状態と、スイッチ素子Ｔ１をオフ状態とし、スイッチ素子Ｔ２をオン状態とした第２状態とが交互に切り替えられると、第１導電路９１に印加された直流電圧が降圧され、第２導電路９２に出力される。第２導電路９２の出力電圧は、スイッチ素子Ｔ１，Ｔ２のゲートに与えるＰＷＭ信号のデューティ比に応じて定まる。また、降圧モードでは、スイッチ素子Ｔ３のゲートにはオン信号が継続的に入力され、スイッチ素子Ｔ３はオン状態で維持される。また、スイッチ素子Ｔ４のゲートにはオフ信号が継続的に入力され、スイッチ素子Ｔ４はオフ状態で維持される。
【００２４】
昇圧モードでは、第１の信号Ｓ１としてＨレベル信号が出力され、第２の信号Ｓ２としてＰＷＭ信号が出力される。この場合、スイッチ素子Ｔ３，Ｔ４の各ゲートに対してデッドタイムを設定した形でＰＷＭ信号が相補的に出力され、スイッチ素子Ｔ３へのオン信号の出力中は、スイッチ素子Ｔ４へオフ信号が出力され、スイッチ素子Ｔ３へのオフ信号の出力中は、スイッチ素子Ｔ４へオン信号が出力される。スイッチ素子Ｔ３をオン状態とし、スイッチ素子Ｔ４をオフ状態とした第１状態と、スイッチ素子Ｔ３をオフ状態とし、スイッチ素子Ｔ４をオン状態とした第２状態とが交互に切り替えられると、第１導電路９１に印加された直流電圧が昇圧され、第２導電路９２に出力される。第２導電路９２の出力電圧は、スイッチ素子Ｔ３，Ｔ４のゲートに与えるＰＷＭ信号のデューティ比に応じて定まる。なお、昇圧モードでは、スイッチ素子Ｔ１のゲートにはオン信号が継続的に入力され、スイッチ素子Ｔ１はオン状態で維持される。また、スイッチ素子Ｔ２のゲートにはオフ信号が入力され、スイッチ素子Ｔ２はオフ状態で維持される。
【００２５】
次に、保護部２０の動作について説明する。保護部２０は、電圧変換部６が所定の過電圧状態であるときに電圧変換部６の動作を強制的に停止させるように機能する回路であり、具体的には、第２導電路９２の出力電圧が所定の過電圧状態であるときに駆動部４から発せられる制御信号を無効化させる無効化回路として機能する。
【００２６】
保護部２０は、第２導電路９２に一端が接続された抵抗Ｒ３を備え、抵抗Ｒ３の他端はコンデンサ６２の一方の電極及びオペアンプ６０の正側の入力端子に接続されている。コンデンサ６２の他方の電極は接地されている。オペアンプ６０の負側の入力端子には、分圧抵抗Ｒ４，Ｒ５によって定められた基準電圧が入力されている。オペアンプ６０の出力端子と正側の入力端子の間には帰還抵抗Ｒ６が接続されている。コンデンサ６２の一方の電極は、スイッチＴｒ２（ＮＰＮトランジスタ）のコレクタに接続され、スイッチＴｒ２のエミッタは接地されている。オペアンプ６０の出力端子には、ダイオードＤ１のカソードが接続され、ダイオードＤ１のアノードは、信号線５０に接続されている。抵抗Ｒ７の一端は電源ラインＶｃｃに接続され、他端は信号線５０を介してダイオードＤ１，Ｄ２の各アノードに接続されている。ダイオードＤ２のカソードは、抵抗Ｒ８，Ｒ９の一端に接続され、抵抗Ｒ８の他端は接地されている。抵抗Ｒ９の他端はスイッチＴｒ１（ＮＰＮトランジスタ）のベースに接続されている。抵抗Ｒ１０は、スイッチＴｒ１のベースとエミッタの間に接続され、スイッチＴｒ１のエミッタは接地されている。
【００２７】
図１で示す電圧変換装置１では、第２導電路９２の印加電圧（出力電圧）が所定閾値よりも小さい場合、オペアンプ６０からの出力はＬレベルとなる。この場合、信号線５０を介して制御部２に入力される信号はＬレベルの信号となる。この場合、スイッチＴｒ１はオフ状態で維持されるため、ＡＮＤ回路７１，７２，７３，７４の各第２入力端子には信号線７６によってＨレベルの信号が入力される。この場合、ＡＮＤ回路７１，７２，７３，７４の各第１入力端子に入力される信号がＡＮＤ回路７１，７２，７３，７４からそのまま出力される。
【００２８】
しかし、第２導電路９２の印加電圧（出力電圧）が所定閾値以上になると、オペアンプ６０からの出力はＨレベルとなる。この場合、信号線５０を介して制御部２に入力される信号はＨレベルの信号（過電圧信号）となる。信号線５０がＨレベルであるときには、スイッチＴｒ１がオン動作するため、ＡＮＤ回路７１，７２，７３，７４の各第２入力端子に接続された信号線７６の電位はＬレベルとなる。つまり、この場合、ＡＮＤ回路７１，７２，７３，７４からの出力信号は全てＬレベルとなり、駆動部４からの信号が無効化される。このように、駆動部４からの信号が無効化された状態では、スイッチ素子Ｔ１，Ｔ２，Ｔ３，Ｔ４は常にオフ状態で維持され、電圧変換部６は停止し続ける。
【００２９】
制御部２は、このような「保護部２０によって無効化された状態」のときに無効化を解除しうる構成となっている。制御部２は、信号線５２をＬレベル状態で維持しており、「保護部２０によって無効化された状態」のときに、信号線５２に対してＨレベル信号（解除信号）を出力することで、無効化状態を解除する。「保護部２０によって無効化された状態」のときに、信号線５２にＨレベル信号が出力されると、スイッチＴｒ２がオン動作し、コンデンサ６２の電荷が放電されてオペアンプ６０からの出力がＬレベルに切り替えられる。そして、信号線５０はＬレベルに切り替わり、スイッチＴｒ１はオフ状態に切り替わるため、ＡＮＤ回路７１，７２，７３，７４の各第２入力端子には信号線７６によってＨレベルの信号が入力される。このようにして無効化状態が解除される。
【００３０】
次に、制御部２で実行される周期処理について説明する。
電圧変換装置１では、所定の短時間毎に制御部２によって図２で示す周期処理が実行される。制御部２は、図２の周期処理を開始した後、まず信号線５０に過電圧信号が発生しているか否かを判断する（Ｓ１）。信号線５０に過電圧信号が発生していない場合、Ｓ１にてＮｏに進み、充放電動作が実行中であるか否かを判断する（Ｓ８）。駆動部４の駆動制御によって電圧変換部６で充放電動作が実行されている場合には、Ｓ８にてＮｏに進み、リトライ回数カウントをクリアする（Ｓ９）。このように、電圧変換装置１では、第２導電路９２に過電圧状態が発生せずに充放電動作が行われる場合、リトライ回数が０にクリアされることになる。なお、Ｓ８で充放電動作が実行されていないと判断される場合には、Ｓ８にてＹｅｓに進み、周期処理を終了する。
【００３１】
Ｓ１の判断処理において、信号線５０に過電圧信号が発生したと判断される場合には、Ｓ１にてＹｅｓに進み、電圧状態が回復したか否かを判断する（Ｓ２）。Ｓ１で過電圧信号が発生したと判断された場合、上述した保護部２０の動作によってスイッチＴｒ１がオン動作し、ＡＮＤ回路７１，７２，７３，７４からの出力信号は全てＬレベルとなるように切り替えられる。Ｓ２では、このように制御信号が無効化されてスイッチ素子Ｔ１，Ｔ２，Ｔ３，Ｔ４の動作が停止している最中に、電圧検出回路８の検出電圧が正常電圧範囲に収まっているか否かを判断する。Ｓ２において、電圧検出回路８の検出電圧が正常電圧範囲に収まっていると判断される場合には、Ｙｅｓに進み、そうでない場合にはＮｏに進む。Ｓ２にてＮｏに進む場合には、周期処理を終了する。
【００３２】
本構成では、Ｓ２の判断処理を行う制御部２が異常検出部の一例に相当し、第２導電路９２の電圧の異常を検出するように機能する。
【００３３】
Ｓ２にてＹｅｓに進む場合、リトライ回数が上限値（例えば５回）を超えたか否かを判断する。リトライ回数が上限値を超えていない場合にはＳ３にてＮｏに進み、リトライ回数をカウントアップする（Ｓ６）。そして、信号線５２にＨレベル信号（ラッチ解除信号）を出力することでスイッチＴｒ１をオフ状態に切り替えて無効化状態を解除する。
【００３４】
本構成では、Ｓ７の処理を行う制御部２が解除部の一例に相当し、保護部２０による電圧変換部６の強制停止中に異常検出部によって異常が検出されない場合に強制停止を解除するように機能する。
【００３５】
Ｓ３においてリトライ回数が上限値を超えていると判断される場合には、Ｓ３にてＹｅｓに進み、故障判定を行う（Ｓ４）。Ｓ４の処理では、例えば図示しない上位システム（上位ＥＣＵ等）に対し、電圧変換装置１で内部故障が発生した旨の情報を送信する。Ｓ４の後には、電圧変換部６の動作を禁止する（Ｓ５）。Ｓ５の処理が実行された後には、電圧変換部６の動作が継続的に禁止されることになる。
【００３６】
なお、Ｓ５の処理を実行する制御部２は、禁止部の一例に相当し、保護部２０による電圧変換部６の動作の停止が所定回数繰り返された場合に電圧変換部６の動作を禁止するように機能する。
【００３７】
以上のように、本構成の電圧変換装置１は、電圧変換部６が所定の過電圧状態であるときに、保護部２０によって電圧変換部６の動作を強制的に停止させ、迅速に保護を図ることができる。
このような過電圧が電圧変換部６の内部要因（内部故障等）によって発生する場合、電圧変換部６の強制停止中に異常検出部によって異常が検出されずに電圧変換部６の強制停止が解除され、解除後の電圧変換部６の動作中に再び過電圧が検出されることになる。つまり、電圧変換部６の内部要因によって過電圧が発生する場合、電圧変換部６の動作停止と解除が繰り返され、電圧変換部６の動作停止が所定回数に達したときに禁止部によって電圧変換部６の動作が禁止されることになる。よって、電圧変換部６の内部異常時には、電圧変換部６の動作を禁止して保護の度合いを高めることができる。
一方、電圧変換部６の外部要因によって過電圧が発生する場合でも、保護部２０は、電圧変換部６の動作を強制的に停止させる。但し、この場合、電圧変換部６の強制停止中に異常検出部によって異常が検出され続ける可能性が高いため、電圧変換部６において動作停止と解除が繰り返されにくく、電圧変換部６の動作は禁止されにくくなる。
【００３８】
また、電圧変換部６は、第１導電路９１に印加された電圧を昇圧又は降圧して第２導電路９２に出力する構成をなし、保護部２０は、第２導電路９２の出力電圧が所定の過電圧状態であるときに駆動部４から発せられる制御信号を無効化させる無効化回路を含んでいる。この構成によれば、第２導電路９２に印加される出力電圧が過電圧状態であるときに無効化回路によって制御信号を無効化させ、電圧変換部６の動作を迅速に停止させることができる。
【００３９】
また、異常検出部に相当する制御部２は、第２導電路９２の電圧の異常を検出する構成であり、解除部に相当する制御部２は、保護部２０による電圧変換部６の強制停止中に異常検出部によって第２導電路９２の電圧異常が検出されない場合に強制停止を解除する構成となっている。この構成では、保護部２０による電圧変換部６の強制停止中に異常検出部によって出力側の第２導電路９２の電圧異常が検出された場合、電圧変換部６の動作に関係なく過電圧が生じたと考えられ、その原因は電圧変換部６の内部要因によるものではなく、外部要因によるものである可能性が極めて高くなる。逆に、保護部２０による電圧変換部６の強制停止中に異常検出部によって出力側の第２導電路９２の電圧異常が検出されない場合、電圧変換部６の動作中にのみ過電圧が生じたと考えられ、電圧変換部６の内部異常が生じている可能性が極めて高くなる。つまり、強制停止中に出力側の第２導電路９２の電圧状態に基づいて異常判断を行えば、外部要因に基づく過電圧と内部要因に基づく過電圧をより正確に区別しやすくなる。
【００４０】
＜他の実施例＞
本発明は上記記述及び図面によって説明した実施例に限定されるものではなく、例えば次のような実施例も本発明の技術的範囲に含まれる。
（１）実施例１では、昇降圧型のＤＣＤＣコンバータとして構成される電圧変換装置を例示したが昇圧型のＤＣＤＣコンバータに適用してもよく、降圧型のＤＣＤＣコンバータに適用してもよい。また、一方側から入力された電圧を変換して他方側に出力する一方向型のＤＣＤＣコンバータに適用してもよく、双方向型のＤＣＤＣコンバータに適用してもよい。
（２）上述した実施例では、単相式のＤＣＤＣコンバータを例示したが、多相式のＤＣＤＣコンバータに適用してもよい。
（３）上述した実施例では、第１導電路９１や第２導電路９２に接続される発電機や負荷などは省略して示したが、様々な装置や電子部品を第１導電路９１や第２導電路９２に接続することができる。
（４）上述した実施例では、保護部２０による電圧変換部６の動作の停止が所定回数に達した場合に電圧変換部６の動作を禁止する例を示したが、保護部２０による電圧変換部６の動作停止時間（例えば、保護部２０によって強制停止がなされたときの累積時間）が所定時間に達した場合に電圧変換部６の動作を禁止してもよい。
【符号の説明】
【００４１】
１…電圧変換装置
２…制御回路（異常検出部、解除部、禁止部）
４…駆動部
６…電圧変換部
２０…保護部
９１…第１導電路
９２…第２導電路
９９…基準導電路
Ｔ１，Ｔ２，Ｔ３，Ｔ４…スイッチ素子
【図１】
0006686611.tif 000002
【図２】
0006686611.tif 000003